(57)【特許請求の範囲】
【請求項１】
情報を表示する表示デバイスと、
原稿から画像を読み取る読取デバイスと、
前記読取デバイスによって原稿から読み取られた読取画像に基づいた出力を実行する画像出力手段と、
前記画像出力手段による出力のプレビュー画像を生成するプレビュー画像生成手段と、
前記プレビュー画像を前記表示デバイスに表示させるプレビュー実行手段とを備え、
前記読取デバイスによる原稿からの読み取りの設定画面は、前記読取デバイスによって読み取られる原稿のサイズである原稿サイズを指定するための原稿サイズ指定領域と、複数枚の画像を１枚に纏める集約の種類を指定するための集約指定領域と、１枚分の出力のサイズである出力サイズを指定するための出力サイズ指定領域と、前記読取デバイスによる原稿からの読み取りの実行の指示を受け付ける読取実行指示受付部とを含み、
前記原稿サイズ指定領域は、運転免許証のサイズ、パスポートのサイズ、および、パスポートの見開きのサイズのうち少なくとも１つを含むリストから前記原稿サイズを指定する領域と、前記原稿サイズとして任意のサイズを指定するための領域とを含み、
前記出力サイズ指定領域は、Ａ４サイズおよびＢ５サイズのうち少なくとも１つを含む標準的なサイズのリストから前記出力サイズを指定する領域と、前記出力サイズとして任意のサイズを指定するための領域とを含み、
前記画像出力手段は、前記読取デバイスによる原稿からの読み取りの実行の指示が前記読取実行指示受付部によって受け付けられると、前記原稿サイズ指定領域において指定された前記原稿サイズで前記読取デバイスによって原稿から画像を読み取り、
前記画像出力手段は、前記読取デバイスによる原稿からの読み取りの実行の指示が前記読取実行指示受付部によって受け付けられた場合に、Ｎ枚の画像を１枚に纏める集約が前記集約指定領域において指定されていたとき、前記読取デバイスによって原稿から画像を読み取る作業をＮ回実行するように前記表示デバイスを介して利用者に指示し、
前記プレビュー画像生成手段は、前記原稿サイズ指定領域において指定された前記原稿サイズと、前記集約指定領域において指定された集約による前記読取画像の枚数と、前記出力サイズ指定領域において指定された前記出力サイズとに基づいて、前記枚数分の前記読取画像が１枚分の前記出力サイズの範囲に目一杯に含まれるように前記プレビュー画像における前記読取画像の倍率を決定し、決定した倍率に変更された前記読取画像と、この読取画像が配置された１枚分の前記出力サイズの範囲との前記プレビュー画像を生成することを特徴とする画像形成装置。
【請求項２】
前記プレビュー実行手段によって生成された前記プレビュー画像を含むプレビュー画面は、前記読取画像の倍率として、前記出力サイズに合わせることを指定するための第１倍率指定部と、１００％を指定するための第２倍率指定部と、任意の倍率を指定するための第３倍率指定部とを含み、
前記プレビュー画像生成手段は、前記第１倍率指定部、前記第２倍率指定部および前記第３倍率指定部のうちの１つによって倍率の指定が変更されたと判断すると、指定された倍率に変更された前記読取画像と、この読取画像が配置された１枚分の前記出力サイズの範囲との前記プレビュー画像を生成することを特徴とする請求項１に記載の画像形成装置。
【請求項３】
情報を表示する表示デバイスと、
原稿から画像を読み取る読取デバイスと、
前記読取デバイスによって原稿から読み取られた読取画像に基づいた出力を実行する画像出力手段とを備える画像形成装置によって実行されるプレビュープログラムであって、
前記画像出力手段による出力のプレビュー画像を生成するプレビュー画像生成手段、および、
前記プレビュー画像を前記表示デバイスに表示させるプレビュー実行手段として前記画像形成装置を機能させ、
前記読取デバイスによる原稿からの読み取りの設定画面は、前記読取デバイスによって読み取られる原稿のサイズである原稿サイズを指定するための原稿サイズ指定領域と、複数枚の画像を１枚に纏める集約の種類を指定するための集約指定領域と、１枚分の出力のサイズである出力サイズを指定するための出力サイズ指定領域と、前記読取デバイスによる原稿からの読み取りの実行の指示を受け付ける読取実行指示受付部とを含み、
前記原稿サイズ指定領域は、運転免許証のサイズ、パスポートのサイズ、および、パスポートの見開きのサイズのうち少なくとも１つを含むリストから前記原稿サイズを指定する領域と、前記原稿サイズとして任意のサイズを指定するための領域とを含み、
前記出力サイズ指定領域は、Ａ４サイズおよびＢ５サイズのうち少なくとも１つを含む標準的なサイズのリストから前記出力サイズを指定する領域と、前記出力サイズとして任意のサイズを指定するための領域とを含み、
前記画像出力手段は、前記読取デバイスによる原稿からの読み取りの実行の指示が前記読取実行指示受付部によって受け付けられると、前記原稿サイズ指定領域において指定された前記原稿サイズで前記読取デバイスによって原稿から画像を読み取り、
前記画像出力手段は、前記読取デバイスによる原稿からの読み取りの実行の指示が前記読取実行指示受付部によって受け付けられた場合に、Ｎ枚の画像を１枚に纏める集約が前記集約指定領域において指定されていたとき、前記読取デバイスによって原稿から画像を読み取る作業をＮ回実行するように前記表示デバイスを介して利用者に指示し、
前記プレビュー画像生成手段は、前記原稿サイズ指定領域において指定された前記原稿サイズと、前記集約指定領域において指定された集約による前記読取画像の枚数と、前記出力サイズ指定領域において指定された前記出力サイズとに基づいて、前記枚数分の前記読取画像が１枚分の前記出力サイズの範囲に目一杯に含まれるように前記プレビュー画像における前記読取画像の倍率を決定し、決定した倍率に変更された前記読取画像と、この読取画像が配置された１枚分の前記出力サイズの範囲との前記プレビュー画像を生成することを特徴とするプレビュープログラム。
【発明の詳細な説明】
【技術分野】
【０００１】
本発明は、読取デバイスによって原稿から読み取られた読取画像に基づいた出力のプレビュー画像を表示デバイスに表示させる画像形成装置およびプレビュープログラムに関する。
【背景技術】
【０００２】
従来の画像形成装置として、情報を表示する表示デバイスと、原稿から画像を読み取る読取デバイスとを備え、読取デバイスによって原稿から読み取られた読取画像に基づいた出力を実行する画像形成装置であって、出力のプレビュー画像を生成して表示デバイスに表示させるものが知られている（例えば、特許文献１参照。）。この画像形成装置は、出力の１枚分の範囲に対して読取画像を配置したプレビュー画像を生成する。
【先行技術文献】
【特許文献】
【０００３】
【特許文献１】特開２００９−１００１０２号公報
【発明の概要】
【発明が解決しようとする課題】
【０００４】
しかしながら、従来の画像形成装置おいては、読取画像の倍率が変更されて出力される場合に出力結果を事前に利用者に認識させることができないという問題がある。
【０００５】
そこで、本発明は、読取画像の倍率が変更されて出力される場合に出力結果を事前に利用者に認識させることができる画像形成装置およびプレビュープログラムを提供することを目的とする。
【課題を解決するための手段】
【０００６】
本発明の画像形成装置は、情報を表示する表示デバイスと、原稿から画像を読み取る読取デバイスと、前記読取デバイスによって原稿から読み取られた読取画像に基づいた出力を実行する画像出力手段と、前記画像出力手段による出力のプレビュー画像を生成するプレビュー画像生成手段と、前記プレビュー画像を前記表示デバイスに表示させるプレビュー実行手段とを備え、前記プレビュー画像生成手段は、倍率が変更された前記読取画像を前記画像出力手段による出力の１枚分の範囲に対して配置した前記プレビュー画像を生成することを特徴とする。
【０００７】
この構成により、本発明の画像形成装置は、倍率が変更された読取画像を出力の１枚分の範囲に対して配置したプレビュー画像を生成するので、読取画像の倍率が変更されて出力される場合に出力結果を事前に利用者に認識させることができる。
【０００８】
また、本発明の画像形成装置において、前記プレビュー画像生成手段は、前記読取デバイスによって読み取られた原稿のサイズと、前記画像出力手段による出力の１枚分のサイズとに基づいて、前記読取画像が前記範囲に目一杯に含まれるように前記プレビュー画像における前記読取画像の倍率を決定しても良い。
【０００９】
この構成により、本発明の画像形成装置は、読取デバイスによって読み取られた原稿のサイズと、出力の１枚分のサイズとに基づいて、読取画像が出力の１枚分の範囲に目一杯に含まれるようにプレビュー画像における読取画像の倍率を自動的に決定するので、利便性を向上することができる。
【００１０】
また、本発明の画像形成装置において、前記プレビュー画像生成手段は、複数枚の画像を１枚に纏める集約が前記画像出力手段による出力に対して指定されている場合に、前記集約によって１枚に纏められる枚数分の前記読取画像を前記範囲に対して配置した前記プレビュー画像を生成し、前記プレビュー画像生成手段は、前記読取デバイスによって読み取られた原稿のサイズと、前記画像出力手段による出力の１枚分のサイズと、前記集約によって１枚に纏められる前記読取画像の枚数とに基づいて、前記集約によって１枚に纏められる枚数分の前記読取画像が前記範囲に目一杯に含まれるように前記プレビュー画像における前記読取画像の倍率を決定しても良い。
【００１１】
この構成により、本発明の画像形成装置は、読取デバイスによって読み取られた原稿のサイズと、出力の１枚分のサイズと、集約によって１枚に纏められる読取画像の枚数とに基づいて、集約によって１枚に纏められる枚数分の読取画像が出力の１枚分の範囲に目一杯に含まれるようにプレビュー画像における読取画像の倍率を自動的に決定するので、利便性を向上することができる。
【００１２】
本発明のプレビュープログラムは、情報を表示する表示デバイスと、原稿から画像を読み取る読取デバイスと、前記読取デバイスによって原稿から読み取られた読取画像に基づいた出力を実行する画像出力手段とを備える画像形成装置によって実行されるプレビュープログラムであって、前記画像出力手段による出力のプレビュー画像を生成するプレビュー画像生成手段、および、前記プレビュー画像を前記表示デバイスに表示させるプレビュー実行手段として前記画像形成装置を機能させ、前記プレビュー画像生成手段は、倍率が変更された前記読取画像を前記画像出力手段による出力の１枚分の範囲に対して配置した前記プレビュー画像を生成することを特徴とする。
【００１３】
この構成により、本発明のプレビュープログラムは、倍率が変更された読取画像を出力の１枚分の範囲に対して配置したプレビュー画像を生成するので、読取画像の倍率が変更されて出力される場合に出力結果を事前に利用者に認識させることができる。
【発明の効果】
【００１４】
本発明の画像形成装置およびプレビュープログラムは、読取画像の倍率が変更されて出力される場合に出力結果を事前に利用者に認識させることができる。
【図面の簡単な説明】
【００１５】
【図１】本発明の一実施の形態に係る画像形成システムのブロック図である。
【図２】図１に示すＭＦＰのブロック図である。
【図３】読取画像に基づいた出力の実行の開始が指示された場合の図２に示すＭＦＰの動作のフローチャートである。
【図４】図２に示すスキャナーによる原稿からの読み取りの設定画面の一例を示す図である。
【図５】（ａ）パスポートの見開きの画像の一例を示す図である。  （ｂ）パスポートの見開きの画像のプレビュー画像の一例を示す図である。
【図６】（ａ）運転免許証の表面の画像の一例を示す図である。  （ｂ）運転免許証の裏面の画像の一例を示す図である。  （ｃ）運転免許証の画像のプレビュー画像の一例を示す図である。
【図７】図２に示す表示部に表示されるプレビュー画面の一例を示す図である。
【図８】図２に示す表示部に表示されるプレビュー画面の一例を示す図であって、図７に示す例とは異なる例を示す図である。
【図９】図２に示す表示部に表示されるプレビュー画面の一例を示す図であって、図７および図８に示す例とは異なる例を示す図である。
【発明を実施するための形態】
【００１６】
以下、本発明の一実施の形態について、図面を用いて説明する。
【００１７】
まず、本実施の形態に係る画像形成システム１０の構成について説明する。
【００１８】
図１は、本実施の形態に係る画像形成システム１０のブロック図である。
【００１９】
図１に示すように、画像形成システム１０は、画像形成装置としてのＭＦＰ（Ｍｕｌｔｉｆｕｎｃｔｉｏｎ  Ｐｅｒｉｐｈｅｒａｌ）２０と、ＭＦＰ２０によって生成された画像データを管理するサーバー３０とを備えている。ＭＦＰ２０と、サーバー３０とは、ＬＡＮ（Ｌｏｃａｌ  Ａｒｅａ  Ｎｅｔｗｏｒｋ）、インターネットなどのネットワーク１１を介して互いに通信可能に接続されている。
【００２０】
サーバー３０は、ＰＣ（Ｐｅｒｓｏｎａｌ  Ｃｏｍｐｕｔｅｒ）などのコンピューターによって構成されている。
【００２１】
図２は、ＭＦＰ２０のブロック図である。
【００２２】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部２７と、ＭＦＰ２０全体を制御する制御部２８とを備えている。
【００２３】
操作部２１は、表示部２２とともにタッチパネルを形成する入力デバイスを含んでいても良い。
【００２４】
記憶部２７は、スキャナー２３によって原稿から読み取られた読取画像に基づいた出力のプレビュー画像を表示部２２に表示させるためのプレビュープログラム２７ａを記憶している。プレビュープログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００２５】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行する。
【００２６】
また、制御部２８は、記憶部２７に記憶されているプレビュープログラム２７ａを実行することによって、スキャナー２３によって原稿から読み取られた読取画像に基づいた出力を実行する画像出力手段２８ａ、画像出力手段２８ａによる出力のプレビュー画像を生成するプレビュー画像生成手段２８ｂ、および、プレビュー画像を表示部２２に表示させるプレビュー実行手段２８ｃとして機能する。
【００２７】
次に、ＭＦＰ２０の動作について説明する。
【００２８】
利用者は、読取画像に基づいた出力の実行の開始を操作部２１を介してＭＦＰ２０に指示することができる。
【００２９】
図３は、読取画像に基づいた出力の実行の開始が指示された場合のＭＦＰ２０の動作のフローチャートである。
【００３０】
図３に示すように、ＭＦＰ３０の画像出力手段２８ａは、スキャナー２３による原稿からの読み取りの図４に示す設定画面４０を表示部２２に表示する（Ｓ１０１）。
【００３１】
図４は、スキャナー２３による原稿からの読み取りの設定画面４０の一例を示す図である。
【００３２】
図４に示す設定画面４０には、スキャナー２３によって読み取られる原稿のサイズ（以下「原稿サイズ」と言う。）を指定するための原稿サイズ指定領域４１と、複数枚の画像を１枚に纏める集約の種類を指定するためのドロップダウンリスト４２と、出力の１枚分のサイズ（以下「出力サイズ」と言う。）を指定するための出力サイズ指定領域４３と、読取画像に基づいた出力の処理を中止するためのキャンセルボタン４４と、スキャナー２３による読み取りを実行するためのスキャンボタン４５とが含まれている。
【００３３】
原稿サイズ指定領域４１には、原稿サイズを指定するためのドロップダウンリスト４１ａと、ドロップダウンリスト４１ａの要素を編集するための編集ボタン４１ｂと、原稿サイズとして任意のサイズを指定するためのテキストボックス４１ｃ、４１ｄと、ドロップダウンリスト４１ａで指定された原稿サイズを採用することを指定するためのラジオボタン４１ｅと、テキストボックス４１ｃ、４１ｄで指定された原稿サイズを採用することを指定するためのラジオボタン４１ｆとが含まれている。
【００３４】
ドロップダウンリスト４１ａの要素としては、例えば、運転免許証のサイズ（以下「免許証サイズ」と言う。）と、パスポートのサイズと、パスポートの見開きのサイズ（以下「パスポート見開きサイズ」と言う。）とが含まれている。
【００３５】
編集ボタン４１ｂが押されると、ドロップダウンリスト４１ａの要素として利用者が指定した任意のサイズを追加することができる。また、ドロップダウンリスト４１ａの要素として利用者が追加したサイズを変更したり、削除したりすることもできる。
【００３６】
テキストボックス４１ｃ、４１ｄで指定されることが可能である範囲は、例えば、スキャナー２３が読み取りに対応している原稿のサイズの範囲である。
【００３７】
ラジオボタン４１ｅおよびラジオボタン４１ｆは、常に何れか一方のみが選択された状態になる。
【００３８】
ドロップダウンリスト４２の要素としては、例えば、集約なし、すなわち、１ｉｎ１と、２枚の画像を１枚に纏める集約、すなわち、２ｉｎ１と、４枚の画像を１枚に纏める集約、すなわち、４ｉｎ１とが含まれている。
【００３９】
出力サイズ指定領域４３には、出力サイズを指定するためのドロップダウンリスト４３ａと、ドロップダウンリスト４３ａの要素を編集するための編集ボタン４３ｂと、出力サイズとして任意のサイズを指定するためのテキストボックス４３ｃ、４３ｄと、ドロップダウンリスト４３ａで指定された出力サイズを採用することを指定するためのラジオボタン４３ｅと、テキストボックス４３ｃ、４３ｄで指定された出力サイズを採用することを指定するためのラジオボタン４３ｆとが含まれている。
【００４０】
ドロップダウンリスト４３ａの要素としては、例えば、Ａ４サイズ、Ｂ５サイズなどの標準的なサイズが含まれている。
【００４１】
編集ボタン４３ｂが押されると、ドロップダウンリスト４３ａの要素として利用者が指定した任意のサイズを追加することができる。また、ドロップダウンリスト４３ａの要素として利用者が追加したサイズを変更したり、削除したりすることもできる。
【００４２】
テキストボックス４３ｃ、４３ｄで指定されることが可能である範囲は、例えば、プリンター２４が印刷に対応している記録媒体のサイズの範囲である。
【００４３】
ラジオボタン４３ｅおよびラジオボタン４３ｆは、常に何れか一方のみが選択された状態になる。
【００４４】
図３に示すように、画像出力手段２８ａは、Ｓ１０１の処理の後、キャンセルボタン４４が押されたか否かを判断する（Ｓ１０２）。
【００４５】
画像出力手段２８ａは、キャンセルボタン４４が押されたとＳ１０２において判断すると、図３に示す動作を終了する。
【００４６】
画像出力手段２８ａは、キャンセルボタン４４が押されていないとＳ１０２において判断すると、スキャンボタン４５が押されたか否かを判断する（Ｓ１０３）。ここで、利用者は、スキャナー２３に原稿をセットした状態でスキャンボタン４５を押すことによって、スキャナー２３による原稿からの読み取りを実行することができる。
【００４７】
画像出力手段２８ａは、スキャンボタン４５が押されていないとＳ１０３において判断すると、Ｓ１０２の処理を実行する。
【００４８】
画像出力手段２８ａは、スキャンボタン４５が押されたとＳ１０３において判断すると、スキャンボタン４５が押された時点で原稿サイズ指定領域４１において指定されていた原稿サイズでスキャナー２３によって原稿から画像を読み取る（Ｓ１０４）。ここで、画像出力手段２８ａは、スキャンボタン４５が押された時点で出力に対して集約がドロップダウンリスト４２によって指定されていた場合に、集約に必要な枚数分、スキャナー２３によって原稿から画像を読み取る。例えば、画像出力手段２８ａは、２ｉｎ１が指定されていた場合には、スキャナー２３によって原稿から画像を読み取る作業を２回実行するように表示部２２を介して利用者に指示する。同様に、画像出力手段２８ａは、４ｉｎ１が指定されていた場合には、スキャナー２３によって原稿から画像を読み取る作業を４回実行するように表示部２２を介して利用者に指示する。
【００４９】
プレビュー画像生成手段２８ｂは、Ｓ１０４の処理の後、Ｓ１０４においてスキャナー２３によって原稿から読み取られた読取画像のサイズを出力サイズに合わせるように読取画像の倍率を変更した後、出力の１枚分の範囲に対して読取画像を配置したプレビュー画像を生成する（Ｓ１０５）。ここで、プレビュー画像生成手段２８ｂは、スキャンボタン４５が押された時点で原稿サイズ指定領域４１において指定されていた原稿サイズと、スキャンボタン４５が押された時点でドロップダウンリスト４２によって指定されていた集約の種類と、スキャンボタン４５が押された時点で出力サイズ指定領域４３において指定されていた出力サイズとに基づいてプレビュー画像における読取画像の倍率を決定し、決定した倍率の読取画像を出力の１枚分の範囲に対して配置したプレビュー画像を生成する。
【００５０】
プレビュー画像生成手段２８ｂは、Ｓ１０５においてプレビュー画像を生成する場合、スキャンボタン４５が押された時点でドロップダウンリスト４２によって指定されていた集約の種類が「集約なし」であるとき、１枚分の読取画像を出力の１枚分の範囲に対して配置することによってプレビュー画像を生成する。ここで、プレビュー画像生成手段２８ｂは、スキャンボタン４５が押された時点で原稿サイズ指定領域４１において指定されていた原稿サイズと、スキャンボタン４５が押された時点で出力サイズ指定領域４３において指定されていた出力サイズとに基づいて、１枚分の読取画像が出力の１枚分の範囲に目一杯に含まれるようにプレビュー画像における読取画像の倍率を決定する。例えば、スキャンボタン４５が押された時点で原稿サイズ指定領域４１において指定されていた原稿サイズがパスポート見開きサイズ、すなわち、横１２５ｍｍ、縦１７６ｍｍであり、スキャンボタン４５が押された時点でドロップダウンリスト４２によって指定されていた集約の種類が「集約なし」であり、スキャンボタン４５が押された時点で出力サイズ指定領域４３において指定されていた出力サイズが横２２０ｍｍ、縦２２０ｍｍである場合、Ｓ１０４において読み取られた画像が図５（ａ）に示すパスポートの見開きの画像であるとき、プレビュー画像生成手段２８ｂは、Ｓ１０５において図５（ｂ）に示すようなプレビュー画像を生成する。図５に示す例では、倍率は、２２０÷１７６×１００＝１２５％である。
【００５１】
また、プレビュー画像生成手段２８ｂは、Ｓ１０５においてプレビュー画像を生成する場合、スキャンボタン４５が押された時点でドロップダウンリスト４２によって指定されていた集約の種類が「集約なし」以外であるとき、集約によって１枚に纏められる枚数分の読取画像を出力の１枚分の範囲に対して配置することによってプレビュー画像を生成する。ここで、プレビュー画像生成手段２８ｂは、スキャンボタン４５が押された時点で原稿サイズ指定領域４１において指定されていた原稿サイズと、スキャンボタン４５が押された時点でドロップダウンリスト４２によって指定されていた集約によって１枚に纏められる読取画像の枚数と、スキャンボタン４５が押された時点で出力サイズ指定領域４３において指定されていた出力サイズとに基づいて、集約によって１枚に纏められる枚数分の読取画像が出力の１枚分の範囲に目一杯に含まれるようにプレビュー画像における読取画像の倍率を決定する。例えば、スキャンボタン４５が押された時点で原稿サイズ指定領域４１において指定されていた原稿サイズが免許証サイズ、すなわち、横８５．６ｍｍ、縦５４ｍｍであり、スキャンボタン４５が押された時点でドロップダウンリスト４２によって指定されていた集約の種類が２ｉｎ１であり、スキャンボタン４５が押された時点で出力サイズ指定領域４３において指定されていた出力サイズがＡ４サイズ、すなわち、横２１０ｍｍ、縦２９７ｍｍである場合、Ｓ１０４において読み取られた１枚目の画像が図６（ａ）に示す運転免許証の表面の画像であって、Ｓ１０４において読み取られた２枚目の画像が図６（ｂ）に示す運転免許証の裏面の画像であるとき、プレビュー画像生成手段２８ｂは、Ｓ１０５において図６（ｃ）に示すようなプレビュー画像を生成する。図６に示す例では、倍率は、２１０÷８５．６×１００≒２４５％である。
【００５２】
図３に示すように、プレビュー実行手段２８ｃは、Ｓ１０５の処理の後、プレビュー画像生成手段２８ｂによって生成されたプレビュー画像を含む図７に示すようなプレビュー画面５０を表示部２２に表示させる（Ｓ１０６）。
【００５３】
図７は、プレビュー画面５０の一例を示す図である。
【００５４】
図７に示すプレビュー画面５０には、プレビュー画像生成手段２８ｂによって生成されたプレビュー画像が表示されるプレビュー領域５１と、読取画像の倍率として「出力サイズに合わせる」が指定されるためのラジオボタン５２ａと、読取画像の倍率として「１００％」が指定されるためのラジオボタン５２ｂと、読取画像の倍率として任意の倍率が指定されるためのラジオボタン５２ｃと、任意の倍率が指定されるためのテキストボックス５３と、読取画像に基づいた出力の処理を中止するためのキャンセルボタン５４と、読取画像に基づいた出力として「送信」を実行するための送信ボタン５５と、読取画像に基づいた出力として「印刷」を実行するための印刷ボタン５６とが含まれている。
【００５５】
ラジオボタン５２ａ〜５２ｃは、常に何れか１つのみが選択された状態になる。具体的には、ラジオボタン５２ａ〜５２ｃは、プレビュー領域５１に表示されているプレビュー画像に対応するラジオボタンのみが選択された状態になる。例えば、Ｓ１０５の処理の直後にＳ１０６の処理が実行された場合には、ラジオボタン５２ａのみが選択された状態になる。また、後述のＳ１０９の処理の直後にＳ１０６の処理が実行された場合には、ラジオボタン５２ｂのみが選択された状態になる。また、後述のＳ１１０の処理の直後にＳ１０６の処理が実行された場合には、ラジオボタン５２ｃのみが選択された状態になる。
【００５６】
図３に示すように、プレビュー画像生成手段２８ｂは、Ｓ１０６の処理の後、倍率の選択が操作部２１を介して変更されたか否かを判断する（Ｓ１０７）。ここで、プレビュー画像生成手段２８ｂは、ラジオボタン５２ａ〜５２ｃの選択が変更された場合と、ラジオボタン５２ｃが選択されている状態でテキストボックス５３の値が変更された場合とにおいて、倍率の選択が変更されたと判断する。
【００５７】
プレビュー画像生成手段２８ｂは、倍率の選択が変更されたとＳ１０７において判断すると、新たに選択された倍率を判断する（Ｓ１０８）。
【００５８】
プレビュー画像生成手段２８ｂは、「出力サイズに合わせた倍率」以外が選択されていた状態で「出力サイズに合わせた倍率」が新たに選択されたとＳ１０８において判断すると、Ｓ１０５の処理を実行する。ここで、プレビュー画像生成手段２８ｂは、ラジオボタン５２ｂまたはラジオボタン５２ｃが選択されていた状態でラジオボタン５２ａが新たに選択された場合に、「出力サイズに合わせた倍率」以外が選択されていた状態で「出力サイズに合わせた倍率」が新たに選択されたと判断する。
【００５９】
プレビュー画像生成手段２８ｂは、「１００％」以外が選択されていた状態で「１００％」が新たに選択されたとＳ１０８において判断すると、Ｓ１０４においてスキャナー２３によって原稿から読み取られた時点のサイズの読取画像を、出力の１枚分の範囲に対して配置したプレビュー画像を生成する（Ｓ１０９）。ここで、プレビュー画像生成手段２８ｂは、ラジオボタン５２ａまたはラジオボタン５２ｃが選択されていた状態でラジオボタン５２ｂが新たに選択された場合に、「１００％」以外が選択されていた状態で「１００％」が新たに選択されたと判断する。
【００６０】
プレビュー実行手段２８ｃは、Ｓ１０９の処理の後、プレビュー画像生成手段２８ｂによって生成されたプレビュー画像を含むプレビュー画面５０を表示部２２に表示させる（Ｓ１０６）。したがって、例えば、スキャンボタン４５が押された時点で原稿サイズ指定領域４１において指定されていた原稿サイズがパスポート見開きサイズ、すなわち、横１２５ｍｍ、縦１７６ｍｍであり、スキャンボタン４５が押された時点でドロップダウンリスト４２によって指定されていた集約の種類が「集約なし」であり、スキャンボタン４５が押された時点で出力サイズ指定領域４３において指定されていた出力サイズが横２２０ｍｍ、縦２２０ｍｍであり、Ｓ１０４において読み取られた画像が図５（ａ）に示すパスポートの見開きの画像である場合、プレビュー実行手段２８ｃは、図８に示すようなプレビュー画面５０を表示部２２に表示させる。
【００６１】
図３に示すように、プレビュー画像生成手段２８ｂは、「任意の倍率」が新たに選択されたとＳ１０８において判断すると、Ｓ１０４においてスキャナー２３によって原稿から読み取られた読取画像のサイズを、Ｓ１０４においてスキャナー２３によって原稿から読み取られた時点のサイズに対して、テキストボックス５３において指定されていた倍率で変更した後、出力の１枚分の範囲に対して読取画像を配置したプレビュー画像を生成する（Ｓ１１０）。ここで、プレビュー画像生成手段２８ｂは、ラジオボタン５２ａまたはラジオボタン５２ｂが選択されていた状態でラジオボタン５２ｃが新たに選択された場合と、ラジオボタン５２ｃが選択されている状態でテキストボックス５３の値が変更された場合とに、「任意の倍率」が新たに選択されたと判断する。
【００６２】
プレビュー実行手段２８ｃは、Ｓ１１０の処理の後、プレビュー画像生成手段２８ｂによって生成されたプレビュー画像を含むプレビュー画面５０を表示部２２に表示させる（Ｓ１０６）。したがって、例えば、スキャンボタン４５が押された時点で原稿サイズ指定領域４１において指定されていた原稿サイズがパスポート見開きサイズ、すなわち、横１２５ｍｍ、縦１７６ｍｍであり、スキャンボタン４５が押された時点でドロップダウンリスト４２によって指定されていた集約の種類が「集約なし」であり、スキャンボタン４５が押された時点で出力サイズ指定領域４３において指定されていた出力サイズが横２２０ｍｍ、縦２２０ｍｍであり、Ｓ１０４において読み取られた画像が図５（ａ）に示すパスポートの見開きの画像である場合、テキストボックス５３において７５％が指定されているとき、プレビュー実行手段２８ｃは、図９に示すようなプレビュー画面５０を表示部２２に表示させる。
【００６３】
図３に示すように、画像出力手段２８ａは、倍率の選択が変更されていないとＳ１０７において判断されると、キャンセルボタン５４が押されたか否かを判断する（Ｓ１１１）。
【００６４】
画像出力手段２８ａは、キャンセルボタン５４が押されたとＳ１１１において判断すると、図３に示す動作を終了する。
【００６５】
画像出力手段２８ａは、キャンセルボタン５４が押されていないとＳ１１１において判断すると、送信ボタン５５が押されたか否かを判断する（Ｓ１１２）。
【００６６】
画像出力手段２８ａは、送信ボタン５５が押されていないとＳ１１２において判断すると、印刷ボタン５６が押されたか否かを判断する（Ｓ１１３）。
【００６７】
画像出力手段２８ａは、印刷ボタン５６が押されていないとＳ１１３において判断すると、Ｓ１０７の処理を実行する。
【００６８】
画像出力手段２８ａは、送信ボタン５５が押されたとＳ１１２において判断すると、送信ボタン５５が押された時点でプレビュー領域５１に表示されているプレビュー画像と同様の状態で読取画像を例えばＰＤＦ（Ｐｏｒｔａｂｌｅ  Ｄｏｃｕｍｅｎｔ  Ｆｏｒｍａｔ）データなどの特定の形式の電子データにした後、この電子データをネットワーク通信部２６を介してサーバー３０に送信する（Ｓ１１４）。そして、サーバー３０は、ＭＦＰ２０から受信した電子データを記憶する。したがって、例えば、送信ボタン５５が押された時点でプレビュー領域５１に表示されているプレビュー画像が図５（ｂ）に示すプレビュー画像である場合、サーバー３０には、図５（ｂ）に示すプレビュー画像と同様に、横２２０ｍｍ、縦２２０ｍｍの出力サイズに、横１５６．３ｍｍ、縦２２０ｍｍのサイズの画像が配置されている電子データが記憶される。
【００６９】
画像出力手段２８ａは、印刷ボタン５６が押されたとＳ１１３において判断すると、印刷ボタン５６が押された時点でプレビュー領域５１に表示されているプレビュー画像と同様の状態で読取画像をプリンター２４によって印刷する（Ｓ１１５）。したがって、例えば、送信ボタン５５が押された時点でプレビュー領域５１に表示されているプレビュー画像が図５（ｂ）に示すプレビュー画像である場合、プリンター２４は、図５（ｂ）に示すプレビュー画像と同様に、横２２０ｍｍ、縦２２０ｍｍのサイズの記録媒体への、横１５６．３ｍｍ、縦２２０ｍｍのサイズの画像の印刷を実行する。
【００７０】
画像出力手段２８ａは、Ｓ１１４またはＳ１１５の処理を実行すると、図３に示す動作を終了する。
【００７１】
以上に説明したように、ＭＦＰ２０は、倍率が変更された読取画像を出力の１枚分の範囲に対して配置したプレビュー画像を生成する（Ｓ１０５またはＳ１１０）ので、読取画像の倍率が変更されて出力される（Ｓ１１４またはＳ１１５）場合に出力結果を事前に利用者に認識させることができる。
【００７２】
ＭＦＰ２０は、スキャナー２３によって読み取られた原稿のサイズと、出力の１枚分のサイズとに基づいて、読取画像が出力の１枚分の範囲に目一杯に含まれるようにプレビュー画像における読取画像の倍率を自動的に決定する（Ｓ１０５）ので、利便性を向上することができる。
【００７３】
ＭＦＰ２０は、スキャナー２３によって読み取られた原稿のサイズと、出力の１枚分のサイズと、集約によって１枚に纏められる読取画像の枚数とに基づいて、集約によって１枚に纏められる枚数分の読取画像が出力の１枚分の範囲に目一杯に含まれるようにプレビュー画像における読取画像の倍率を自動的に決定する（Ｓ１０５）ので、利便性を向上することができる。
【００７４】
本発明の画像形成装置は、本実施の形態においてＭＦＰであるが、読取デバイスによって原稿から読み取られた読取画像に基づいた出力を実行する画像形成装置であれば、スキャナー専用機、コピー専用機など、ＭＦＰ以外の画像形成装置であっても良い。
【符号の説明】
【００７５】
２０  ＭＦＰ（画像形成装置）
２２  表示部（表示デバイス）
２３  スキャナー（読取デバイス）
２７ａ  プレビュープログラム
２８ａ  画像出力手段
２８ｂ  プレビュー画像生成手段
２８ｃ  プレビュー実行手段
【図１】
0006278201.tif 000002
【図２】
0006278201.tif 000003
【図３】
0006278201.tif 000004
【図４】
0006278201.tif 000005
【図５】
0006278201.tif 000006
【図６】
0006278201.tif 000007
【図７】
0006278201.tif 000008
【図８】
0006278201.tif 000009
【図９】
0006278201.tif 000010